(57)【要約】【課題】強度上の問題がなくかつ柔軟性および衝撃吸収性の高いウェア付きハーネスを提供する。【解決手段】犬の前脚の各々を通すための２つの孔が設けられた楕円形状のウェア部１１の外側面に、当該犬がウェア部１１を着用した状態において当該犬の前脚の前側において胴体を一回りした後、連結器具１４等を経由して当該犬の背中側後方に延伸する前側ベルト１３１と、当該犬の前脚の後側において胴体を一回りした後、当該犬の背中側にて前側ベルト１３１と第２のリング１７を介して連結される後側ベルト１３２とが、各々ウェア部１１の下側、すなわち当該犬の胸側において固着されており、前側ベルト１３１および後側ベルト１３２の右側部分と前側ベルト１３１および後側ベルト１３２の左側部分は、当該犬の背中側において連結器具１４により着脱可能に連結される。【選択図】図１
2011055773.tif 000002
【特許請求の範囲】
【請求項１】
２つの孔を有し、前記２つの孔に四足歩行を行う動物の２本の前脚の各々を通した状態で当該動物の胴体の外周を覆うウェア部と、
前記ウェア部が当該動物の胴体の外周を覆った状態で、当該動物の腹側から各々左右の脇腹付近を通って背中側に達する前記ウェア部の２つの端部を互いに固着する面ファスナーと、
当該動物の胸側の前脚と頸部との間の領域において当該動物の胴体の外周を一回りする前方部分と、当該動物の胸側の前脚と腹部との間の領域において当該動物の胴体の外周を一回りする後方部分とを有するベルトであって、前記ウェア部が当該動物の胴体の外周を覆った状態における当該動物の胸側の領域において、前記ウェア部の外側表面に固着されたベルトと、
前記ベルトが当該動物の胴体の外周を一回りした状態において、前記前方部分のうち当該動物の右前脚の頸部側を通って背中側に向かう部分と前記後方部分のうち当該動物の右前脚の腹部側を通って背中側に向かう部分とは互いに連結もしくは連続されて前記ベルトの右側部分を構成し、前記前方部分のうち当該動物の左前脚の頸部側を通って背中側に向かう部分と前記後方部分のうち当該動物の左前脚の腹部側を通って背中側に向かう部分とは互いに連結もしくは連続されて前記ベルトの左側部分を構成し、前記右側部分と前記左側部分とを互いに着脱可能に連結する連結器具と、
前記右側部分と前記左側部分との各々もしくは前記連結器具に取り付けられたリングであって、当該動物を引くリードの一方の端部に設けられたナスカンを取り付けるためのリングと、
前記右側部分の長さおよび前記左側部分の長さを各々調節する長さ調節器具と
を備え、
当該動物の胴体の外周を覆った状態における前記ウェア部の当該動物の身体側に用いられている素材が、前記ベルトに用いられている素材よりも衝撃吸収性が高い素材である
ウェア付きハーネス。
【請求項２】
当該動物の胴体の外周を覆った状態における前記ウェア部の当該動物の身体側に用いられている素材はスポンジメッシュ構造を有し、
前記ベルトはグログランテープである
請求項１に記載のウェア付きハーネス。
【発明の詳細な説明】
【技術分野】
【０００１】
本発明は、例えば犬等のペットに着用させるウェア付きハーネスに関する。
【背景技術】
【０００２】
犬等のペットに着用させるいわゆるベスト型ハーネスは、従来から数多く提案されている。例えば、特許文献１に開示されているリード付きペットウェアは、ウェア本体にリードを装着する装着部材を少なくとも３個設けることにより、リードを引いた場合のペットに伝わる衝撃を分散させている。
【先行技術文献】
【特許文献】
【０００３】
【特許文献１】特開２００９−８９６０７号公報
【発明の概要】
【発明が解決しようとする課題】
【０００４】
従来のリード付きペットウェアは、中間にウェア本体を支持する支持部材を設けずにリードを直接ウェア本体に取り付けるものか、もしくは中間に支持部材を設けたとしても当該支持部材が支持する領域が狭いものとなっている。したがって、リードを引いた場合に全体が形崩れしないようにするためには、ウェア本体そのものの強度を高める必要がある。
【０００５】
このため、従来のリード付きペットウェアにおいては、ウェア本体が柔軟性のないものとなってしまい、ペットに着用させた場合に着心地が良くないとともにウェア本体の衝撃吸収性が低いという問題がある。
【０００６】
そこで、本発明は、強度上の問題がなくかつ柔軟性および衝撃吸収性の高いウェア付きハーネスを提供することを目的とする。
【課題を解決するための手段】
【０００７】
本発明は、上記の目的に鑑みて想到されたものであり、
２つの孔を有し、前記２つの孔に四足歩行を行う動物の２本の前脚の各々を通した状態で当該動物の胴体の外周を覆うウェア部と、
前記ウェア部が当該動物の胴体の外周を覆った状態で、当該動物の腹側から各々左右の脇腹付近を通って背中側に達する前記ウェア部の２つの端部を互いに固着する面ファスナーと、
当該動物の胸側の前脚と頸部との間の領域において当該動物の胴体の外周を一回りする前方部分と、当該動物の胸側の前脚と腹部との間の領域において当該動物の胴体の外周を一回りする後方部分とを有するベルトであって、前記ウェア部が当該動物の胴体の外周を覆った状態における当該動物の胸側の領域において、前記ウェア部の外側表面に固着されたベルトと、
前記ベルトが当該動物の胴体の外周を一回りした状態において、前記前方部分のうち当該動物の右前脚の頸部側を通って背中側に向かう部分と前記後方部分のうち当該動物の右前脚の腹部側を通って背中側に向かう部分とは互いに連結もしくは連続されて前記ベルトの右側部分を構成し、前記前方部分のうち当該動物の左前脚の頸部側を通って背中側に向かう部分と前記後方部分のうち当該動物の左前脚の腹部側を通って背中側に向かう部分とは互いに連結もしくは連続されて前記ベルトの左側部分を構成し、前記右側部分と前記左側部分とを互いに着脱可能に連結する連結器具と、
前記右側部分と前記左側部分との各々もしくは前記連結器具に取り付けられたリングであって、当該動物を引くリードの一方の端部に設けられたナスカンを取り付けるためのリングと、
前記右側部分の長さおよび前記左側部分の長さを各々調節する長さ調節器具と
を備え、
当該動物の胴体の外周を覆った状態における前記ウェア部の当該動物の身体側に用いられている素材が、前記ベルトに用いられている素材よりも衝撃吸収性が高い素材である
ウェア付きハーネス
を提供する（第１の実施態様）。
【０００８】
また、上記の第１の実施態様において、
当該動物の胴体の外周を覆った状態における前記ウェア部の当該動物の身体側に用いられている素材はスポンジメッシュ構造を有し、
前記ベルトはグログランテープである
構成を採用してもよい（第２の実施態様）。
【発明の効果】
【０００９】
本発明の第１の実施態様にかかるウェア付きハーネスによれば、上述のベルトが動物の胴体を覆う衝撃吸収性の高いウェア部の外周の少なくとも２か所において一回りして当該ウェア部を支持しているので、当該動物をリードで引いた場合の安全性を損なうことなく十分な強度が確保され、当該動物を怪我から守るとともに、当該ウェア付きハーネスの形崩れの防止が実現される。
【００１０】
また、本発明の第２の実施態様にかかるウェア付きハーネスによれば、ウェア部の犬の身体に対向する側の面の素材にスポンジメッシュ構造が用いられ、さらにベルトがグログランテープであるので、上述の安全性および十分な強度が簡易な方法で実現されている。
【図面の簡単な説明】
【００１１】
【図１】図１は、本発明の実施形態にかかるウェア付きハーネスを連結器具等で閉じた状態を表す平面図である。
【図２】図２は、本発明の実施形態にかかるウェア付きハーネスを連結器具等で閉じずに開いた状態を表す平面図である。
【図３】図３は、犬に着用させた状態の本発明の実施形態にかかるウェア付きハーネスの外観図である。
【発明を実施するための形態】
【００１２】
（実施形態）
以下、本発明の一具体例である実施形態を、図面を用いて説明する。なお、以下に説明する本実施形態にかかるウェア付きハーネス１は、本発明を小型犬用のウェア付きハーネスに適用したものであるが、本発明にかかるウェア付きハーネスは小型犬用に限られず、犬以外の四足歩行動物、例えば猫やフェレットなどに用いられるものであってもよいし、そのサイズも様々に変更可能である。
【００１３】
図１は、本実施形態にかかるウェア付きハーネス１を連結器具等で閉じた状態を表す平面図である。ウェア付きハーネス１は、犬に着用された状態で概ね円筒形状を有している。なぜなら、犬の胴体において腹部から頸部までの領域は、前脚を除いて概ね円筒形状を有しているからである。
【００１４】
ウェア付きハーネス１は、犬の胴体を覆うウェア部１１と、ウェア部１１の両側方の端部を互いに固着する面ファスナー１２と、犬の胴体を覆ったウェア部１１を犬の身体に対して外側から支持するベルト１３と、ベルト１３の右側部分と左側部分とを犬の背中側において連結する連結器具１４と、連結器具１４に取り付けられて犬を引くリードＬの一端を取り付け可能な２つの第１のリング１５と、ベルト１３の長さを調節する２つの長さ調節器具１６と、ベルト１３の所定の部分に設けられベルト１３全体を構成するために必要とされる２つの第２のリング１７とを備えている。
【００１５】
図２は、本実施形態にかかるウェア付きハーネス１を面ファスナー１２および連結器具１４により閉じる前の状態を表す平面図である。図２（ａ）は犬の身体に対向する側の面を表しており、図２（ｂ）は犬の身体に対向しない側の面を表している。
【００１６】
ウェア部１１は、ウェア付きハーネス１を閉じる前の状態、すなわち犬に着用させる前の状態では、横に細長い１枚の楕円状のシート形状を有している。また、ウェア部１１は、例えばナイロン製であり、犬の身体に対向する側の面の素材をスポンジメッシュ構造とすることにより、犬に対する衝撃を和らげることを可能としている。
【００１７】
ウェア部１１は、犬の前脚を通す２つの孔Ｈを有しており、当該犬の胴体を覆った状態で、当該犬の腹部付近から頸部付近までの領域を保護する。
【００１８】
上述のように、ウェア部１１における犬の身体に対向する側の素材は、衝撃吸収性が高い素材である。これは、ウェア部１１によってウェア付きハーネス１の安全性を確保する狙いからくるものである。しかしながら、ウェア部１１はこのように衝撃吸収性が高い素材であるために、ウェア付きハーネス１の強度の確保にはあまり寄与しない。したがって、ウェア付きハーネス１においては、後述のように衝撃吸収性ではなく強度が高い素材がベルト１３に採用され、強度の確保がなされる。
【００１９】
ウェア部１１における犬の身体に対して右側の一端付近の犬の身体に対向しない面上には、面ファスナー１２のフック面が設けられている。そして、ウェア部１１における犬の身体に対して左側の一端付近の犬の身体に対向する面上には、面ファスナー１２のループ面が設けられている。
【００２０】
面ファスナー１２のフック面の表面は、フック状に起毛されている。そして、面ファスナー１２のループ面の表面は、ループ状に起毛されている。
【００２１】
なお、面ファスナー１２のフック面は、犬の身体に対して前後方向を縦、左右方向を横とした場合に、縦５センチメートル×横５センチメートルの正方形状である。そして、面ファスナー１２のループ面は、縦５センチメートル×横２センチメートル、すなわち犬の身体に対して前後方向に細長い長方形状である。
【００２２】
面ファスナー１２のフック面の横方向の長さが十分にあるので、犬の胴体の太さに合わせて面ファスナー１２のフック面とループ面との着脱位置を調節することが可能である。具体的には、面ファスナー１２のフック面とループ面とは、最も犬の胴体が太い場合と最も犬の胴体が細い場合とで、犬の身体に対して左右方向において各々相対的に５センチメートル程の着脱位置の移動が可能である。
【００２３】
ベルト１３は、前側ベルト１３１と後側ベルト１３２とを有する。前側ベルト１３１もしくは後側ベルト１３２は、所定の位置において連結器具１４と２つの第１のリング１５と２つの長さ調節器具１６と２つの第２のリング１７とに連結している。
【００２４】
ベルト１３は、図１および図２に示されるように、犬の胸側の前脚と頸部との間の領域において当該犬の胴体の外周を一回りする前方部分と、当該犬の胸側の前脚と腹部との間の領域において当該犬の胴体の外周を一回りする後方部分とを有する。そして、上述の前方部分と後方部分とが、犬の胴体の背中側において一か所に集まる構成を有している。上述の前方部分と後方部分とが一か所に集まる位置には、ベルト１３を、犬の身体に対して右側の部分を構成する右側部分と左側の部分を構成する左側部分とに離脱させることが可能な連結器具１４が設けられている。
【００２５】
連結器具１４は、例えばプラスチック製である。また、連結器具１４は、オス部とメス部とに分かれて犬の身体に対して左右方向に離脱することが可能であり、当該オス部およびメス部の各々において両者合体時の両側外縁に前側ベルト１３１を通すためのスリットが設けられている。
【００２６】
連結器具１４は、後述するように、ウェア付きハーネス１を犬に着用させる際には、一旦上述のオス部とメス部とに離脱させた状態にすることが必要となる。
【００２７】
第１のリング１５は、例えばスチール製のＤカンである。第１のリング１５は２つあり、連結器具１４の両側外縁の２か所に取り付けられる。
【００２８】
具体的には、連結器具１４のオス部およびメス部の各々において、上述のスリットを前側ベルト１３１が貫通し、第１のリング１５の孔を通り抜けて前側ベルト１３１が折り返し、当該スリットを再び貫通して前側ベルト１３１が元と同じ方向に戻っていく。この際、前側ベルト１３１の折り返し部分が第１のリング１５、すなわちＤカンの直線部分を挟み込んで連結器具１４側に引き付け、第１のリング１５が連結器具１４に接触するような位置にくる構成となっている。
【００２９】
長さ調節器具１６は、例えばスチール製で、２つある。長さ調節器具１６は、例えばコキであり、「日」の字形状を有し、鞄の肩紐等に用いられているものと同様に、ベルト１３の長さを調節することができる。これについては、後述する。
【００３０】
第２のリング１７は、例えばスチール製で、２つある。
【００３１】
前側ベルト１３１および後側ベルト１３２は、例えばナイロン製のグログランテープである。また、前側ベルト１３１および後側ベルト１３２は、長手方向と垂直な方向の幅が５ミリメートルであり、厚さが２ミリメートルである。
【００３２】
以下、ウェア付きハーネス１における各構成要素の位置関係について、前側ベルト１３１および後側ベルト１３２を中心に説明する。
【００３３】
前側ベルト１３１の一端が、犬の身体に対して右側かつ後側に位置する「日」の字形状の長さ調節器具１６の真ん中のバーに固着され、そこから犬の身体に対して右側かつ斜め後ろの下側に前側ベルト１３１が延伸し、前側ベルト１３１が第２のリング１７を貫通して折り返し、さきほどの長さ調節器具１６の上述の真ん中のバーを跨ぐようにして長さ調節器具１６を通り抜け、上述のように連結器具１４のメス部のスリットを貫通して第１のリング１５を跨ぎ、前側ベルト１３１がさきほどと同じ方向に戻るように延伸する。
【００３４】
前側ベルト１３１は、ウェア部１１における犬の身体に対して前側の胴回り、すなわち当該犬の胸側の前脚と頸部との間の領域を通って、当該犬の右上から下回りに外周を一回りする。そして、前側ベルト１３１は、左上に戻ったら連結器具１４のオス部のスリットを貫通して第１のリング１５を跨ぎ、さきほどと犬の身体に対して左右対称の位置に設けられている「日」の字形状の長さ調節器具１６および第２のリング１７を介して、最終的に他端が上述の「日」の字の真ん中のバーに固着されている。
【００３５】
後側ベルト１３２は、一端が犬の身体に対して右側かつ後側に位置する第２のリング１７に固着され、そこから延伸してウェア部１１における犬の身体に対して後側の胴回り、すなわち、当該犬の胸側の前脚と腹部との間の領域を通って、当該犬の右側から下回りに外周を半回りして、さきほどの第２のリング１７と左右対称の位置にある第２のリング１７に固着されている。
【００３６】
十分な強度を持つ前側ベルト１３１と、当該前側ベルト１３１に第２のリング１７を介して連結された後側ベルト１３２が、犬の胴回りを前脚の前後で各々一回りしていることにより、ウェア付きハーネス１は犬の身体をしっかりと支持することができ、結果として先に述べたように、犬を引いたときの衝撃力を分散させるとともに、ウェア付きハーネス１の強度が保たれ、破れたりずれたりするような問題を生じない。
【００３７】
なお、前側ベルト１３１における犬の胴体の前側の外周を一回りする部分によりベルト１３の上述の前方部分が構成され、前側ベルト１３１における犬の胴体の後側の外周を半回りする部分および後側ベルト１３２によりベルトの上述の後方部分が構成される。
【００３８】
上述の前方部分及び後方部分は各々、犬の身体において胴回り全体に対して胸側、すなわち下側の５０パーセントの部分が、ウェア部１１に縫い付けられて固着されている。犬を引いた場合に、ベルト１３とウェア部１１とがずれてしまっては仕方がないからである。
【００３９】
そして、上述の前方部分のうち犬の右前脚の頸部側を通って背中側に向かう部分と上述の後方部分のうち当該犬の右前脚の腹部側を通って背中側に向かう部分とは、互いに連結もしくは連続されてベルト１３の上述した右側部分を構成する。また、上述の前方部分のうち当該犬の左前脚の頸部側を通って背中側に向かう部分と上述の後方部分のうち当該犬の左前脚の腹部側を通って背中側に向かう部分とは、互いに連結もしくは連続されてベルト１３の上述した左側部分を構成する。
【００４０】
なお、左右の長さ調節器具１６の各々から左右の第２のリング１７の各々までの前側ベルト１３１が２重になっている部分の長さを長くすれば、前側ベルト１３１の犬の胴体を回る長さが短くなりベルト１３が犬の胴体を締め付けるようになる。
【００４１】
逆に、左右の長さ調節器具１６の各々から左右の第２のリング１７の各々までの前側ベルト１３１が２重になっている部分の長さを短くすれば、前側ベルト１３１の犬の胴体を回る長さが長くなりベルト１３が犬の胴体に対して緩むようになる。
【００４２】
以下、犬にウェア付きハーネス１を着用させる手順を説明する。
【００４３】
先ず、連結器具１４のオス部とメス部とを離脱させた状態のウェア付きハーネス１を用意し、面ファスナー１２のフック面とループ面とを剥がした状態でウェア部１１を左右に開く。
【００４４】
そして、ウェア部１１の前後、左右、表裏を間違えないようにして、犬の２本の前脚を各々、ウェア部１１の有する孔Ｈの各々に通す。次に、ウェア部１１を犬の身体に沿わせた状態で、面ファスナー１２のフック面とループ面とを押し付けて貼り合わせる。
【００４５】
さらに、連結器具１４のオス部とメス部とを留め合わせ、長さ調節器具１６を用いてベルト１３の長さを調節しベルト１３が犬の身体にフィットするようにする。なお、本発明の外部要素ではあるが、最後にリードＬをウェア付きハーネス１に取り付ける。具体的には、リードＬの一端に設けられた例えばテッポウナスカンを、重ね合わせた２つの第１のリング１５に連結させる。
【００４６】
このようにして犬に着用させたウェア付きハーネス１は、図３に示すような外観を呈する。
【００４７】
以上のような構成を有することにより、ウェア付きハーネス１は、リードＬを引いた場合においても、力がウェア部１１の全体に分散されて犬に与えられる衝撃が緩和されるとともに、ウェア部１１に柔らかい素材が用いられているにもかかわらず、ベルト１３がウェア部１１をしっかり支持しているのでウェア部１１が形崩れすることなく、強度上の問題を生じない。
【００４８】
すなわち、ウェア付きハーネス１は、ウェア部１１が柔らかくてかつベルト１３が強いので、全体として安全性と十分な強度とを両立させているのである。
【００４９】
上述した実施形態は、本発明の技術的思想の範囲内で様々に変形が可能である
【００５０】
例えば、第１のリング１５はスチール製のＤカンであるとしたが、スチール以外の金属や強化プラスチック等が採用されてもよいし、特に問題がなければＤカン以外のリングであってもよい。また、第１のリング１５は２つあるとしたが、この数は本発明を限定するものではない。
【００５１】
また、長さ調節器具１６は、スチール製のコキであるとしたが、スチール以外の金属や強化プラスチック等が採用されてもよいし、特に問題がなければコキ以外の長さ調節器具、例えば面ファスナー等であってもよい。また、長さ調節器具１６は２つあるとしたが、この数は本発明を限定するものではない。
【００５２】
また、第２のリング１７は、スチール製であるとしたがスチール以外の金属や強化プラスチック等が採用されてもよい。また、第２のリング１７は２つあるとしたが、この数は本発明を限定するものではなく、特に問題がなければ第２のリング１７は設けられなくてもよい。
【００５３】
また、ベルト１３は犬の胴体の２か所の外周において当該犬の胴体を一回りしてウェア部１１を支持するとしたが、安全性もしくは強度面から必要であれば犬の胴体の３か所以上の外周において当該犬の胴体を一回りしてウェア部１１を支持してもよい。
【００５４】
また、連結器具１４はプラスチック製であるとしたが、特に問題がなければプラスチック以外の素材が用いられてもよい。
【００５５】
また、連結器具１４はオス部とメス部とに分かれて犬の身体に対して左右方向に離脱することが可能であるとしたが、連結器具１４は何らかの方法によって離脱してウェア付きハーネス１を犬に着用させることが可能な構成となっていればよい。
【００５６】
また、ベルト１３はナイロン製のグログランテープであるとしたが、少なくともウェア部１１よりも高い強度を有し、ウェア付きハーネス１全体に要する強度を確保できる素材であればナイロン以外の素材が用いられてもよいし、グログランテープ以外の構成を有してもよい。
【００５７】
また、上述の前方部分および後方部分は各々、犬の身体において胴回り全体に対して胸側、すなわち下側の５０パーセントの部分がウェア部１１に縫い付けられて固着されるものとしたが、５０パーセントという数値は本発明を限定するものではない。また、上述の縫い付けの代わりに、接着剤による接着等の他の固着方法を用いてもよい。
【００５８】
また、ウェア部１１は、ウェア付きハーネス１を閉じる前の状態、すなわち犬に着用させる前の状態では、横に細長い１枚の楕円状のシート形状を有しているものとしたが、この形状は本発明を限定するものではない。したがって、ウェア部１１は、犬等の四足歩行を行う動物の２本の前脚の各々を通した状態で、当該動物の胴体の外周を覆う形状を有していればどんな形状でもよい。
【００５９】
なお、既に述べたように、上述したウェア付きハーネス１は本発明の一実施形態を示すものであって、ウェア付きハーネス１に関し上述したサイズは本発明を限定するものではなく、着用する動物のサイズに応じて様々に変更されてよい。また、着用する動物は四足歩行を行う動物であれば、犬に限られない点も既に述べたとおりである。
【産業上の利用可能性】
【００６０】
本発明のウェア付きハーネスは、犬のみならず、犬以外の哺乳類もしくは爬虫類等のうち四足歩行を行う動物にも適用することが可能であり、ペットにかかわる様々なシチュエーションで用いられることが期待される。
【符号の説明】
【００６１】
１…ウェア付きハーネス、１１…ウェア部、１２…面ファスナー、１３…ベルト、１３１…前側ベルト、１３２…後側ベルト、１４…連結器具、１５…第１のリング、１６…長さ調節器具、１７…第２のリング
【図１】
2011055773.tif 000003
【図２】
2011055773.tif 000004
【図３】
2011055773.tif 000005